(57)【要約】【課題】  曲線橋に生じる幅方向の移動を拘束することで、伸縮装置を簡素化できる曲線橋用サイドブロックを提供すること。【解決手段】  曲線橋１の橋軸直角方向両側に設けた固定支持部材１１に、曲線橋１の側面と接触して支持可能な移動支持部材１２の側面１２ａを曲面同士で接触させて支持することで、曲線橋の橋軸直角方向の移動を規制するようにする。これにより、橋軸方向の伸縮に対応できる簡素化した伸縮装置５だけで移動を許容することができるようにする。【選択図】  図３
2007056489.tif 000002
【特許請求の範囲】
【請求項１】
曲線橋の橋軸直角方向両側に設けられる固定支持部材と、この固定支持部材と接触状態で移動可能に設けられ前記曲線橋の側面と接触して支持可能な移動支持部材とからなることを特徴とする曲線橋用サイドブロック。
【請求項２】
前記固定支持部材と前記移動支持部材とを曲面を介して接触移動可能に構成したことを特徴とする請求項１記載の曲線橋用サイドブロック。
【請求項３】
前記移動支持部材と前記曲線橋との間に摩擦低減部材を介在させて構成したことを特徴とする請求項1または２記載の曲線橋用サイドブロック。
【請求項４】
前記曲線橋の橋軸方向の伸縮継手を鋼製フィンガージョイントで構成したことを特徴とする請求項１〜３のいずれかに記載の曲線橋用サイドブロック。
【発明の詳細な説明】
【技術分野】
【０００１】
この発明は、曲線橋用サイドブロックに関し、曲線橋に生じる温度変化などにより長さ方向（橋軸方向）に生じる伸縮にともなう幅方向（橋軸直角方向）の移動を支持することで、伸縮装置を簡素化できるようにしたものである。
【背景技術】
【０００２】
一般に橋梁は温度変化などにより伸縮が生じることから、これに対処するため橋桁間の間隙に伸縮装置、例えば特許文献１などに開示された鋼製フィンガージョイントを設けて車両の走行などに支障が生じないようにしている。
【０００３】
橋梁の中には、曲線橋があり、曲率半径の小さい橋の場合、長さ方向（橋軸方向）の伸縮のみならず、幅方向（橋軸直角方向）の移動も生じてしまい、特に橋脚と橋桁との間に、例えば特許文献２などに開示されたゴム支承を用いた場合には、一層顕著となる。
【０００４】
このため、伸縮装置として、幅方向の移動も許容できるマウラージョイント（道路橋用伸縮装置）を採用することが多い。
【０００５】
また、地震時の橋桁の幅方向の変位を拘束するため、サイドブロックが設けてあり、通常の温度変化などでは、接触しないように設置しておき、地震時に接触させることで、変位を拘束するようにしていた（特許文献３）。
【特許文献１】特開２００１−２８８７０７号公報
【特許文献２】実公平６−３８８８７号公報
【特許文献３】特開２００５−６８７１１号公報
【発明の開示】
【発明が解決しようとする課題】
【０００６】
ところが、曲線橋での伸縮装置として長さ方向だけでなく幅方向の移動も許容するマウラージョイントを用いると、施工が大変になるとともに、大きな設置スペースを確保する必要があり、しかも高価であるという問題がある。
【０００７】
この発明は、かかる従来技術の課題に鑑みてなされたもので、曲線橋に生じる幅方向の移動を拘束することで、伸縮装置を簡素化できる曲線橋用サイドブロックを提供しようとするものである。
【課題を解決するための手段】
【０００８】
上記従来技術が有する課題を解決するため鋭意検討を重ねた結果、地震時の大きな変位を拘束できる性能を有するサイドブロックを利用することで、温度変化などによる幅方向の移動をスムーズに支持して極力抑えることができれば、長さ方向に伸縮を許容する伸縮装置の簡素化を図ることが可能となることを見出し、この発明を完成したもので、その具体的構成は以下のとおりである。
【０００９】
すなわち、この発明の請求項１記載の曲線橋用サイドブロックは、曲線橋の橋軸直角方向両側に設けられる固定支持部材と、この固定支持部材と接触状態で移動可能に設けられ前記曲線橋の側面と接触して支持可能な移動支持部材とからなることを特徴とするものである。
【００１０】
この曲線橋用サイドブロックによれば、曲線橋の橋軸直角方向両側に設けた固定支持部材に、曲線橋の側面と接触して支持可能な移動支持部材を接触させて支持することで、曲線橋の橋軸直角方向の移動を規制でき、これにより、橋軸方向の伸縮に対応できる簡素化した伸縮装置だけで移動を許容できるようにしている。
【００１１】
また、この発明の請求項２記載の曲線橋用サイドブロックは、請求項１記載の構成に加え、前記固定支持部材と前記移動支持部材とを曲面を介して接触移動可能に構成したことを特徴とするものである。
【００１２】
この曲線橋用サイドブロックによれば、前記固定支持部材と前記移動支持部材とを曲面を介して接触移動させることで、曲線橋の橋軸直角方向の移動を円滑に支持できるようにしている。
【００１３】
さらに、この発明の請求項３記載の曲線橋用サイドブロックは、請求項1または２記載の構成に加え、前記移動支持部材と前記曲線橋との間に摩擦低減部材を介在させて構成したことを特徴とするものである。
【００１４】
この曲線橋用サイドブロックによれば、移動支持部材と曲線橋とが接触する部分に摩擦低減部材を介在させることで、曲線橋の橋軸直角方向の移動を一層円滑に支持できるようにしている。
【００１５】
また、この発明の請求項４記載の曲線橋用サイドブロックは、請求項１〜３のいずれかに記載の構成に加え、前記曲線橋の橋軸方向の伸縮継手を鋼製フィンガージョイントで構成したことを特徴とするものである。
【００１６】
この曲線橋用サイドブロックによれば、曲線橋の橋軸方向の伸縮継手を鋼製フィンガージョイントで構成するようにしており、曲線橋に生じる幅方向の移動を拘束できるので、曲線橋であっても簡素化した伸縮装置である鋼製フィンガージョイントが使用できるようになる。
【発明の効果】
【００１７】
この発明の請求項１記載の曲線橋用サイドブロックによれば、曲線橋の橋軸直角方向両側に設けられる固定支持部材と、この固定支持部材と接触状態で移動可能に設けられ前記曲線橋の側面と接触して支持可能な移動支持部材とからなるので、曲線橋の橋軸直角方向両側に設けた固定支持部材に、曲線橋の側面と接触して支持可能な移動支持部材を接触させて支持することで、曲線橋の橋軸直角方向の移動を規制することができ、これにより、橋軸方向の伸縮に対応できる簡素化した伸縮装置だけで移動を許容することができる。
【００１８】
また、この発明の請求項２記載の曲線橋用サイドブロックによれば、前記固定支持部材と前記移動支持部材とを曲面を介して接触移動可能に構成したので、固定支持部材と移動支持部材とを曲面を介して接触移動させることで、曲線橋の橋軸直角方向の移動を円滑に支持することができる。
【００１９】
さらに、この発明の請求項３記載の曲線橋用サイドブロックによれば、前記移動支持部材と前記曲線橋との間に摩擦低減部材を介在させて構成したので、移動支持部材と曲線橋との接触する部分に摩擦低減部材を介在させることで、曲線橋の橋軸直角方向の移動を一層円滑に支持することができる。
【００２０】
また、この発明の請求項４記載の曲線橋用サイドブロックによれば、曲線橋の橋軸方向の伸縮継手を鋼製フィンガージョイントで構成したので、曲線橋に生じる幅方向の移動をサイドブロックで拘束して、曲線橋であっても簡素化した伸縮装置である鋼製フィンガージョイントを使用することができる。
【発明を実施するための最良の形態】
【００２１】
以下、この発明の一実施の形態について、図面に基づき詳細に説明する。  
図１〜図３は、この発明の曲線橋用サイドブロックの一実施の形態にかかり、図１は適用対象である曲線橋の概略正面図、概略平面図および概略横断面図、図２はサイドブロック部分の概略平面図、概略正面図および概略斜視図、図３は移動前と移動後の説明図および部分拡大図である。
【００２２】
まず、この曲線橋用サイドブロックが設置される曲線橋について説明すると、曲線橋１は、図１に示すように、平面形状が湾曲した円弧状の橋桁２を備え、例えば両端部および２箇所の中間部の４箇所の橋脚３上に取り付けたそれぞれ２個のゴム支承４を介して支持されている（なお、同図（ｂ）では、移動後も図示してあるので、ゴム支承が４個のように見えている）。
【００２３】
この曲線橋１では、橋桁２の両端部すなわち、隣接する継手部に伸縮継手５が設けてあり、この曲線橋１では、構成が簡素化された鋼製フィンガージョイントが用いてある。
【００２４】
次に、このような曲線橋１に設ける曲線橋用サイドブロック１０は、曲線橋１の橋軸直角方向両側に設けられる固定支持部材１１と、この固定支持部材１１と接触状態で移動可能に設けられ曲線橋１の側面と接触して支持可能な移動支持部材１２とで構成され、ここでは、図２に示すように、各ゴム支承４ごとに設置することで曲線橋１の側面と一体となるゴム支承４の上沓４ａの側面を支持するようにしてある。
【００２５】
すなわち、この曲線橋用サイドブロック１０では、ゴム支承４の上沓４ａの橋軸直角方向両側に固定支持部材１１が橋脚３に固定設置される。この固定支持部材１１は、図２（ｃ）に示すように、中央部が上方に突き出す支持部１１ａを備えるとともに、両側に固定用のフランジ部１１ｂが一体に形成されて構成され、支持部１１ａの上部に段差部１１ｃが形成してある。
【００２６】
そして、この固定支持部材１１の段差部１１ｃに、移動支持部材１２が載置され、支持部１１ａの側面１１ｄと移動支持部材１２の側面１２ａとが接触して横方向の力を支持するようになっている。この曲線橋用サイドブロック１０では、固定支持部材１１の支持部１１ａの側面１１ｄと移動支持部材１２の側面１２ａとが曲面で構成してある。
【００２７】
この曲面同士を接触させて移動支持可能な移動支持部材１２のもう一方の側面には、摩擦低減部材としてすべり板１３が取り付けてあり、例えばＰＴＦＥ（四フッ化エチレン樹脂）板が取り付けてある。
【００２８】
一方、これら移動支持部材１２で挟まれるように設置されているゴム支承４の上沓４ａの両側には、すべり板１３とスムーズに接触するようにすべり板１４が取り付けてあり、例えばステンレス板で構成してある。
【００２９】
このような曲線橋用サイドブロック１０は、ゴム支承４の上沓４ａの側面に取り付けたすべり板１４と、固定支持部材１１の支持部１１ａと曲面で構成した側面同士で接触している移動支持部材１２のすべり板１３との間に隙間を介して設置してあり、例えば１ｍｍ程度の隙間が形成してある。
【００３０】
このように構成した曲線橋用サイドブロック１０による温度変化などの橋軸直角方向の支持は、図３に示すように、通常の温度変化のない移動前の状態では、ゴム支承４の上沓４ａの側面に取り付けたすべり板１４と、固定支持部材１１の支持部１１ａと曲面で構成した側面同士で接触している移動支持部材１２のすべり板１３との間に１ｍｍ程度の隙間が形成された状態となっている。
【００３１】
一方、温度変化などで曲線橋１が橋軸直角方向に移動しようとすると、ゴム支承４の上沓４ａの側面に取り付けたすべり板１４と、移動支持部材１２のすべり板１３とが接触することになる。
【００３２】
すると、ゴム支承４の上沓４ａの側面に取り付けたすべり板１４と、移動支持部材１２のすべり板１３とが摩擦低減部材によりスムーズに接触するとともに、固定支持部材１１の支持部１１ａと移動支持部材１２とが曲面で接触しているので、曲線橋１側である上沓４ａが傾くように移動してもスムーズに接触して曲面を介して固定支持部材１１で支持される。
【００３３】
これにより、曲線橋１の橋軸直角方向の移動を制限することができ、両側の曲線橋用サイドブロック１０の配置の範囲内に移動を拘束することができ、曲線橋１の伸縮をほぼ橋軸方向だけにすることができる。
【００３４】
したがって、曲線橋１の橋桁２の端部に設置する伸縮装置５を橋軸方向の移動のみを許容する鋼製フィンガージョイントで構成することが可能となる。
【００３５】
これにより、２軸方向の移動を許容するマウラージョイントを使用する必要がなく、施工が簡素化できるとともに、２軸分の移動スペースも確保する必要がなく、省スペースで設置することができ、しかも安価となる。
【００３６】
なお、上記実施の形態では、ゴム支承の上沓を支持することで曲線橋の側面を支持するようにしたが、上沓に限らず橋桁と一体の部分であれば、他の部分の橋軸直角方向両側を支持するようにしても良い。
【００３７】
また、固定支持部材と移動支持部材との接触曲面を、固定支持部材側の凸曲面と移動支持部材側の凹曲面で構成したが、逆の凹凸曲面で構成したり、これらの曲面も円弧面や他の曲率半径の曲面で構成したものでも良い。
【００３８】
さらに、すべり板として、ＰＴＦＥやステンレス板を例に挙げて説明したが、これらに限らず、他の摩擦低減素材を用いたり、金属素材で構成するようにしても良い。
【図面の簡単な説明】
【００３９】
【図１】この発明の曲線橋用サイドブロックの一実施の形態にかかり、適用対象である曲線橋の概略正面図、概略平面図および概略横断面図である。
【図２】この発明の曲線橋用サイドブロックの一実施の形態にかかり、サイドブロック部分の概略平面図、概略正面図および概略斜視図である。
【図３】この発明の曲線橋用サイドブロックの一実施の形態にかかり、移動前と移動後の説明図および部分拡大図である。
【符号の説明】
【００４０】
１                  曲線橋
２                  橋桁
３                  橋脚
４                  ゴム支承
４ａ                上沓（曲線橋の側面に相当）
５                  伸縮継手（鋼製フィンガージョイント）
１０                曲線橋用サイドブロック
１１                固定支持部材
１１ａ              支持部
１１ｂ              フランジ部
１１ｃ              段差部
１１ｄ              側面
１２                移動支持部材
１２ａ              側面
１３                すべり板（ＰＴＦＥ（四フッ化エチレン樹脂）板）
１４                すべり板（ステンレス板）
【図１】
2007056489.tif 000003
【図２】
2007056489.tif 000004
【図３】
2007056489.tif 000005